(57)【要約】      （修正有）【課題】足指末端の血の流れを改善すること等保健機能を有して、しかも弾性が良好なソックスの挿入口、締付け力が強いソックス筒状部を有する五本指ソックスを提供する。【解決手段】双面刺繍編みの五本指ソックスであって、刺繍用の平編針で織られた爪先の五本胴部分及び双面刺繍編みするリブのソックス筒状部、双面刺繍編みのリブのゴム履き口を含み、その縫合が、縫合糸の突き合わせるて織る工芸を採用し、連接して織る。抗菌脱臭、水虫の防止でいう特有の功能を有するだけではなく、双面刺繍編みのソックスによる優良な靴下の挿入口弾性を有する張力を兼ねて、ソックス筒状部の締付け力が良好で、脚形に応じて、脚部を締付けて、ずり落ち防止して、好ましい着用感を増加する。【選択図】図１
0003124058.tif 000002
【実用新案登録請求の範囲】
【請求項１】
双面刺繍編機の双針筒状ソックス筒状部の編機で編まれた双面刺繍編みのリブのゴム履き口（１）、双面刺繍編みのソックス筒状部（２）、刺繍編みの平編針編機の五本指ソックス編機で編まれた爪先の五本胴部分（３）を含み、前記の双面刺繍編みの五本指ソックスは、刺繍編みの平編針の爪先の五本胴部分（３）の縫合部が縫合糸（４）で双面刺繍編みのソックス筒状部（２）と双面刺繍編みのリブのゴム履き口（１）を連接することを特徴とする、双面刺繍編みの五本指ソックス。
【請求項２】
縫合糸（４）は同色の糸を表糸として、同色の弾性絹糸を地糸とすることを特徴とする請求項１に記載の双面刺繍編みの五本指ソックス。
【請求項３】
ソックス筒状部（２）は、無地のベルベット、刺繍、凹凸のジャカ-ドの織り方、横の紋様パターン中から一つ、二つ又は二つ以上を選択できることを特徴とする請求項１又は２に記載の双面刺繍編みの五本指ソックス。
【考案の詳細な説明】
【技術分野】
【０００１】
本考案は、双面刺繍編み五本指ソックスに関しており、また、五本指ソックス応用のために、さまざまな様式パターンを提供する。
【背景技術】
【０００２】
国内外の五本指ソックスによる異なる程度の欠点が存在する。五本指を独立で織るため、刺繍平編針の編み結法のみを採用しており、しかも単に爪先から靴下の方向へ編んでいる。ソックスの挿入口はゴム履き口編み部であって、糸口は弛みが生じやすいため、二重編みのソックス挿入口を織ることがある。しかしながら、二重編みのゴム履き口は、ソックス口が非常に厚くて、高い張力に富む。締付け力が弱いので、ずり落ちやすく、着用中の不快感もたらす。しかももっと上品質なソックスを生産できないため、使用範囲が狭い。
【考案の開示】
【考案が解決しようとする課題】
【０００３】
本考案の目的は前記の欠点を克服するために、足指末端の血の流れを改善すること等保健機能を有して、しかも弾性が良好なソックスの挿入口、締付け力が強いソックス筒状部を有する五本指ソックスを提供する。
【課題を解決するための手段】
【０００４】
五本指の織物において、特に爪先から編んだ刺繍平編針の編み結法であって、ソックスの挿入口は良好な弾性を有しており、双面刺繍編機を採用して織る必要がある。双面刺繍編みのリブの織りは、ソックスの挿入口から織らないと、糸がずり落ちやすい。異なっている二種類の織り機は、異なっている二種類の織り方の順序と共に、本考案の製品が同じ織り機で織ることはできない。
【０００５】
本考案は、双面刺繍編機の双針筒状ソックス身編機で編まれた双面刺繍編みのリブのゴム履き口、双面刺繍編みのソックス筒状部を含み、更に刺繍編みの平編針編機の五本指ソックス編機で編れた爪先の五本胴部分を含み、前記の双面刺繍編みの五本指ソックスは、刺繍編みの平編針の爪先の五本胴部分、双面刺繍編みのリブのソックス筒状部、及び双面刺繍編みのリブのゴム履き口の結法であって、その縫合部が縫合糸で突き合わせる織る工芸を採用して、双面刺繍編みのソックス筒状部と双面刺繍編みのリブのゴム履き口を連接して織り、縫合糸は同色の糸を表糸として、同色の弾性絹糸を地糸として、ソックス筒状部は、無地のベルベット、刺繍、凹凸のジャカードの柄、横の紋様パターン中の一つであることを特徴とする。
【考案の効果】
【０００６】
当該技術を実施した明らかな効果は、双面刺繍編みのソックスによる優良な靴下の挿入口弾性を有する張力をもち、ソックス筒状部の締付け力が良好で、脚形に応じて、脚部を締付けて、ずり落ちを防止し、好ましい着用感を増加しており、ソックス筒状部は、無地のベルベット、刺繍、凹凸のジャカードの柄、横の紋様パターンを導入して、ソックスの美観性を向上する。それは、国内外市場で異なっている二種の結法を一種にさせている五本指ソックスであって、国内外市場を拡大させて、経済利益及び社会利益を増す。
【考案を実施するための最良の形態】
【０００７】
下記において図面を参照し、双面刺繍編みのリブのゴム履き口を例として、本考案を説明する。図１において、上部は、双面刺繍編みのリブのゴム履き口１及び双面刺繍編みのソックス筒状部２を一体として、下部は、刺繍編みの平編針のソックスの五本胴部分３であって、編目の縫合糸４通じて、二つの編目で双面刺繍編みの五本指ソックスを織る。
【０００８】
図１において、同じな本数の糸くりで、それぞれ双面刺繍編みのリブのゴム履き口１とソックス筒状部２、五本指ソックスの編み機でソックスの五本胴３を作る。美観を確保のため、ソックス筒状部２とソックスの五本胴３の織り密度が必ず同じで、そして織物の編目を丸筒状の編み機の編み針に覆わせて、縫合糸４の編目織り工芸を採用して、ソックスの五本胴３、双面刺繍編みのソックス筒状部２を織り、縫合糸４はソックスの同色の糸を表糸として、同色の弾性絹糸を地糸として、編目の織りをして、異なっている表糸と地糸を採用している。十分に織る張力を調整できるため、織る糸印の延伸値をソックス筒状部と同じくさせることで、糸印が完全に滑かであり、及びソックスの整体美観を保証する。
【０００９】
下記は本考案の実施例である。
具体の工芸ステップは３２S糸クリを例として説明する。原料：
ソックス筒状部２：３２Sｘ３    綿糸＋３０７５ｘ１アンモニアの包覆絹
ゴム履き口：１００＃ｘ１；
縫合糸４：表糸３２S/２ｘ１  同色糸、表糸  １５０D/２ｘ１弾力刺繍の糸；
ソックスの五本胴部分３編み機；刺繍編みの平編針の五本指ソックス機；
靴下の挿入口１、ソックス筒状部２編み機；双面刺繍編みの平編針のソックス編み機。
【００１０】
ステップ１：３２S糸クリを表糸として、３０７５ｘ１アンモニアの包覆絹を地糸として、双針筒状ソックス筒状部の編機で、靴下の挿入口１を作り、そしてゴム糸を入れて、ソックス筒状部２を織ることを、五本指ソックス機で別々に行なう。ソックス筒状部（２）は、無地のベルベット、刺繍、凹凸のジャカードの織り方、横の紋様パターン中から一つ、二つ又は二つ以上を選択できる。
ステップ２：ソックス筒状部及びソックスの五本胴３を丸筒状の編み機に覆わせて、縫合糸４は、３２S/２ｘ１糸を表糸として、１５０D/２ｘ１の弾性絹糸を地糸として、編目の織りをする。
ステップ３：織りの検査と定型加工。
【図面の簡単な説明】
【００１１】
【図１】本考案にかかる第一の実施例の組合せ外観図である。
【符号の説明】
【００１２】
１双面刺繍編みのリブのゴム履き口
２双面刺繍編みのソックス筒状部
３刺繍編みの平編針のソックスの五本胴部分
４縫合糸
【図１】
0003124058.tif 000003